(57)【要約】【課題】  ケースからディスクを取出し又はケースにディスクを収納する際に、ディスクを損傷する虞れがないように安全としたディスク収納ケースを提供する。【解決手段】  基端側(2a,3a)を相互に連結されたヒンジ部(4)を介して開閉自在とされ自由端側(2b,3b)を接離自在として合掌される第一分割ケース(2)と第二分割ケース(3)によりディスク(D)の収納室(5)が形成されている。収納室(5)は、前記基端側(2a,3a)と自由端側(2b,3b)の間でディスク(D)を該ディスク面に沿って遊動自在となるように保持する保持手段(10)を備える。第一分割ケース(2)と第二分割ケース(3)の合掌される対向部に姿勢制御手段(22)が設けられ、ディスク(D)を所定位置よりも前記自由端側(2b,3b)に偏位せしめた状態で、第一分割ケース(2)と第二分割ケース(3)を合掌したとき、ディスクを基端側(2a,3a)に向けて所定位置まで案内移動する構成である。【選択図】  図４
2006290429.tif 000002
【特許請求の範囲】
【請求項１】
中心孔を貫設したＣＤ又はＤＶＤ等のディスクを収納するディスク収納ケースであり、基端側(2a,3a)を相互に連結されたヒンジ部(4)を介して開閉自在とされ自由端側(2b,3b)を接離自在として合掌される第一分割ケース(2)と第二分割ケース(3)によりディスク(D)の収納室(5)を形成した構成において、
前記収納室(5)は、前記基端側(2a,3a)と自由端側(2b,3b)の間でディスク(D)を該ディスク面に沿って遊動自在となるように保持する保持手段(10)を備えており、
ディスク(D)を所定位置よりも前記自由端側(2b,3b)に偏位せしめた状態で、第一分割ケース(2)と第二分割ケース(3)を合掌したとき、該自由端側(2b,3b)のディスク周縁に接することによりディスクを基端側(2a,3a)に向けて案内移動する姿勢制御手段(22)を第一分割ケース(2)と第二分割ケース(3)の対向部に設けて成ることを特徴とするディスク収納ケース。
【請求項２】
前記保持手段(10)は、前記自由端側(2b,3b)から基端側(2a,3a)に向けてディスク(D)の周部を挿脱自在に挿入保持する保持プレート(11)により構成され、
該保持プレート(11)は、尾端部を第二分割ケース(3)のヒンジ部(4)の近傍に取付けられ、第二分割ケース(3)を第一分割ケース(2)に合掌せしめることにより収納室(5)を閉じたとき、保持プレート(11)を該収納室(5)に定置せしめる一方、ヒンジ部(4)を支点として第二分割ケース(3)を角度θ１まで回動することにより収納室(5)を開いたとき、保持プレート(11)の先端部を第一分割ケース(2)の上方に向けて角度θ２（但しθ２＜θ１）まで持ち上げるリフト機構(21)を設けて成ることを特徴とする請求項１に記載のディスク収納ケース。
【請求項３】
前記保持手段(10)は、収納室内でディスク(D)の下面を支持するように第一分割ケース(2)に設けられた支持座(27)と、該支持座よりも上方に突出することによりディスクの中心孔(C)に遊挿される突部(28)と、該突部から前記自由端側(2b,3b)に向けて張り出す係止爪(29)を備えており、
前記係止爪(29)を含む突部(28)をディスクの中心孔(C)に遊挿しディスクを前記支持座(27)に支持せしめた挿脱自在位置から、該ディスクを基端側(2a,3a)に向けて係止位置まで移動したとき、前記係止爪(29)が中心孔(C)の周縁の上部に係止するように構成されており、
前記姿勢制御手段(22)は、ディスク(D)を前記挿脱自在位置に配置した状態で、第一分割ケース(2)と第二分割ケース(3)を合掌したとき、該ディスクを前記係止位置まで案内移動するように構成されて成ることを特徴とする請求項１に記載のディスク収納ケース。
【請求項４】
ディスク(D)を係止位置に保持せしめた状態で、ヒンジ部(4)を支点として第二分割ケース(3)を回動することにより収納室(5)を開いたとき、基端側(2a,3a)からディスク周縁に接してディスク(D)を前記挿脱自在位置まで移動せしめる姿勢駆動手段(30)を第二分割ケース(3)のヒンジ部(4)の近傍に設けて成ることを特徴とする請求項３に記載のディスク収納ケース。
【発明の詳細な説明】
【技術分野】
【０００１】
本発明は、ＣＤやＤＶＤ等のディスクを収納するためのディスク収納ケースに関し、特に、ケースからディスクを取出し又はケースにディスクを収納する際に、ディスクを損傷する虞れがないように安全としたディスク収納ケースを提供する。
【背景技術】
【０００２】
従来、ディスク収納ケースは、種々の構造のものが提案されており、本出願人においても多くの発明を提案している。
【０００３】
ＣＤやＤＶＤ等のディスクは、中心孔を貫設していることが周知であり、一般的に、このようなディスクを収納するためのケースは、基端側を相互に連結されたヒンジ部を介して開閉自在とされ自由端側を接離自在として合掌される第一分割ケースと第二分割ケースにより収納室を形成している。
【０００４】
ディスクが収納室の内部で遊動すると破損する虞れがあるので、通常、第一分割ケースにボス部が設けられており、該ボス部をディスクの中心孔に嵌脱自在に嵌挿せしめるように構成している。
【０００５】
ボス部は、従来より種々の構成のものが知られているが、放射方向のスリットにより分割された複数の爪片を構成したものが一般的であり、ボス部の上方からディスクの中心孔を同心円上に配置した状態で押し下げると、複数の爪が求心方向に変形することにより中心孔に通過され、その後、複数の爪が復元することにより中心孔の内周縁に嵌合し、これによりディスクを抜止め状に係止すると共に遊動不能に保持する。ディスクを取外す場合は、ボス部の頂部を指先で押してやると、複数の爪が求心方向に変形し、中心孔の通過を許すので、ディスクを取り上げることができる。
【０００６】
ところが、大容量のデジタルデータを記録したＣＤやＤＶＤのディスクＤは、湾曲等により変形されると、データを消失してしまう虞れがある。このため、従来のようにディスクをボス部の爪片に係脱せしめる構成では、例えば、ユーザがディスクをボス部から取外す際、中心孔をボス部に係合したままディスクの周縁を持ち上げると、ディスクを変形させてしまう危険がある。
【０００７】
また同様に、ディスクの取付け又は取外しに際し、ユーザがボス部に対する中心孔の嵌脱を乱暴に行うと、爪片により中心孔からディスクに向けてクラックを生じる虞れがあり、このようなクラックは、データ消失の致命的原因となる。
【０００８】
特に、このようなディスクは、基板の表裏両面に被覆板を接着剤により接着した３層サンドイッチ構造に構成されているところ、従来、ＣＤにおいては、中心孔の部分にも十分に接着剤が設けられているが、ＤＶＤにおいては、中心孔の周囲に接着剤を設けていないディスクが存在しており、この場合、中心孔に臨む部分において表裏の被覆板が基板に接着されていないため、ボス部に対するディスクの取付けと取外しを繰返して行うと、中心孔からクラックを容易に生じるという重大な問題がある。
【０００９】
そして、このようなデータの消失は、録音済のＣＤや録画済のＤＶＤを貸与するレンタルショップにおいて深刻な問題を提起している。
【特許文献１】特開平９−３０１４６８号公報
【特許文献２】実開平５−５４２９７号公報
【発明の開示】
【発明が解決しようとする課題】
【００１０】
前述のような問題点は、ディスクを保持するための爪付きのボス部を採用せずに、例えば、ディスクを挿脱自在に挿入する袋付きの保持プレートを設けることにより解決することができる。このような保持プレートを設けたディスク収納ケースは、本出願人において先に特願２００３ー２０５７０２号として提案したところである。
【００１１】
そこで、この先願に係るディスク収納ケースによれば、ディスクは、ケースの自由端側から基端側に向けてディスク周部を保持プレートの袋部に対して挿入すれば、ディスクの周部が保持プレートに保持され、中心孔には何らの外力も作用しないので、前述のようなボス部に対する取付けと取外しの際に脆弱な中心孔の内周縁を損傷するというような問題を生じることがない。
【００１２】
ところが、その一方において、ディスクは、保持プレートに対して前記基端側と自由端側の間においてディスク面に沿って遊動自在であるため、もしも、ディスクが所定位置よりも前記自由端側に偏位せしめられた状態で、第一分割ケースと第二分割ケースを合掌すると、ディスクの偏位した自由端側のディスク周縁が両分割ケースの合掌部分に挟まれてしまい、該周縁部分を損傷する危険がある。或いは、両分割ケースの合掌部分にディスク周縁を挟むものが存在しない場合には、周縁部分を損傷しないが、ディスクがケース内で保持されず自由に遊動してガタツキを生じ、これによるディスク損傷や記録ソフトデータ破損の危険がある。
【課題を解決するための手段】
【００１３】
本発明は、上記課題を解決したディスク収納ケースを提供するものであり、その手段として構成したところは、中心孔を貫設したＣＤ又はＤＶＤ等のディスクを収納するディスク収納ケースであり、基端側を相互に連結されたヒンジ部を介して開閉自在とされ自由端側を接離自在として合掌される第一分割ケースと第二分割ケースによりディスクの収納室を形成した構成において、前記収納室は、前記基端側と自由端側の間でディスクを該ディスク面に沿って遊動自在となるように保持する保持手段を備えており、ディスクを所定位置よりも前記自由端側に偏位せしめた状態で、第一分割ケースと第二分割ケースを合掌したとき、該自由端側のディスク周縁に接することによりディスクを基端側に向けて案内移動する姿勢制御手段を第一分割ケースと第二分割ケースの対向部に設けた構成とされている点にある。
【００１４】
本発明の第１実施形態において、前記保持手段は、前記自由端側から基端側に向けてディスクの周部を挿脱自在に挿入保持する保持プレートにより構成され、該保持プレートは、尾端部を第二分割ケースのヒンジ部の近傍に取付けられ、第二分割ケースを第一分割ケースに合掌せしめることにより収納室を閉じたとき、保持プレートを該収納室に定置せしめる一方、ヒンジ部を支点として第二分割ケースを角度θ１まで回動することにより収納室を開いたとき、保持プレートの先端部を第一分割ケースの上方に向けて角度θ２（但しθ２＜θ１）まで持ち上げるリフト機構を設けている。
【００１５】
一方、本発明の第２実施形態において、前記保持手段は、収納室内でディスクの下面を支持するように第一分割ケースに設けられた支持座と、該支持座よりも上方に突出することによりディスクの中心孔に遊挿される突部と、該突部から前記自由端側に向けて張り出す係止爪を備えており、前記係止爪を含む突部をディスクの中心孔に遊挿しディスクを前記支持座に支持せしめた挿脱自在位置から、該ディスクを基端側に向けて係止位置まで移動したとき、前記係止爪が中心孔の周縁の上部に係止するように構成されており、前記姿勢制御手段は、ディスクを前記挿脱自在位置に配置した状態で、第一分割ケースと第二分割ケースを合掌したとき、該ディスクを前記係止位置まで案内移動するように構成されている。
【００１６】
前記第２実施形態は、ディスクを係止位置に保持せしめた状態で、ヒンジ部を支点として第二分割ケースを回動することにより収納室を開いたとき、基端側からディスク周縁に接してディスクを前記挿脱自在位置まで移動せしめる姿勢駆動手段を第二分割ケースのヒンジ部の近傍に設けている。
【発明の効果】
【００１７】
本発明によれば、ディスクＤをケースの収納室５に収納する際、ディスクＤは、従来のように中心孔Ｃをボス部に嵌脱自在に嵌合される構成ではなく、保持手段１０によりケースの基端側２ａ、３ａと自由端側２ｂ、３ｂの間でディスク面に沿って遊動自在に保持された状態で収納室５に収納され、或いは収納室５から取出される。このため、ディスクの収納及び取出しの何れにおいても、ディスクＤの中心孔Ｃには従来の爪片による嵌脱動作のような外力が作用しないので、ディスクを湾曲変形したり、中心孔からクラックを生じたりする虞れは全くない。
【００１８】
ところで、ディスクＤは、保持手段１０に対して前記基端側２ａ、３ａと自由端側２ｂ、３ｂの間においてディスク面に沿って遊動自在であるため、もしも、ディスクが所定位置よりも前記自由端側２ｂ、３ｂに偏位せしめられた状態で、第一分割ケース２と第二分割ケース３を合掌すると、ディスクＤの偏位した自由端側のディスク周縁が両分割ケース２、３の硬い合掌部分に挟まれてしまい、該周縁部分を損傷する危険がある。或いは、両分割ケース２、３の合掌部分にディスク周縁を挟むものが存在しない場合には、周縁部分を損傷することはないが、ディスクＤがケース内で保持されず自由に遊動してガタツキを生じ、これによりディスク自体を損傷したり記録ソフトデータを破壊する危険がある。
【００１９】
この点に関して、本発明によれば、ディスクＤを所定位置よりも前記自由端側２ｂ、３ｂに偏位せしめた状態で、第一分割ケース２と第二分割ケース３を合掌したとき、該自由端側２ｂ、３ｂのディスク周縁に接することによりディスクＤを基端側２ａ、３ａに向けて案内移動する姿勢制御手段２２を設けているので、前述のように、第一分割ケース２と第二分割ケース３を合掌するときに、ディスクＤが所定位置から前記自由端側２ｂ、３ｂに寄って偏位せしめられている場合でも、姿勢制御手段２２によりディスクＤを所定位置に案内移動することができる。即ち、第一分割ケース２と第二分割ケース３を合掌したとき、これと連動して姿勢制御手段２２がディスクＤを偏位した位置から所定の位置へと自動的に案内移動できる効果がある。
【００２０】
従って、ディスクＤの周縁が第一分割ケース２と第二分割ケース３の合掌部分に挟まれて損傷するような危険はなく安全である。
【００２１】
この際、請求項２に記載の本発明の第１実施形態の場合、ケースを構成する第一分割ケース２に対して第二分割ケース３をヒンジ部４を介して角度θ１まで上方回動することにより収納室５を開いたとき、保持手段１０を構成する保持プレート１１の先端部を上方に向けて角度θ２まで回動させ、この際、保持プレート１１の角度θ２と第二分割ケース３の角度θ１をθ２＜θ１とするリフト機構２１が設けられている。従って、ユーザは、ディスクＤを収納室５から取出すときに、ディスクを保持した保持プレート１１が上向き姿勢とされるので、該保持プレート１１からディスクＤを容易に取出すことができ、しかも、このような取出しの際にディスクＤの表面を硬いケースの一部分に摺擦し損傷する虞れはない。そして、この第１実施形態の場合、ディスクＤは、ケースの開閉動作により保持プレート１１の上で遊動する虞れがあるが、前述のようにケースを閉じる際に、万一、ディスクＤが所定位置よりも自由端側２ｂ、３ｂに偏位せしめられている場合でも、姿勢制御手段２２によりディスクＤを保持プレート１１の所定位置に案内移動し、ディスクの破損を防止することができる。
【００２２】
ところで、請求項３に記載した本発明の第２実施形態の場合、保持手段１０は、収納室内でディスクの下面を支持するように第一分割ケース２に設けられた支持座２７と、該支持座よりも上方に突出することによりディスクＤの中心孔Ｃに遊挿される突部２８と、該突部から前記自由端側２ｂ、３ｂに向けて張り出す係止爪２９を備えており、前記係止爪２９を含む突部２８をディスクＤの中心孔Ｃに遊挿しディスクを前記支持座２７に支持せしめた挿脱自在位置から、該ディスクＤを基端側２ａ、３ａに向けて係止位置まで移動したとき、前記係止爪２９が中心孔Ｃの周縁の上部に係止するように構成されている。そして、姿勢制御手段２２は、ディスクＤを前記挿脱自在位置に配置した状態で、第一分割ケース２と第二分割ケース３を合掌したとき、該ディスクを前記係止位置まで案内移動するように構成されている。
【００２３】
従って、この第２実施形態によれば、ユーザがディスクＤをケースに収納する場合、第二分割ケース３を開放し、ディスクＤの中心孔Ｃを第一分割ケース２の突部２８に遊挿せしめた挿脱自在位置に設置した状態で、第二分割ケース３を閉じると、ディスクＤは、姿勢制御手段２２により自動的に係止位置まで案内移動され、中心孔Ｃの周縁上部を係止爪２９により係止される。即ち、ユーザは、わざわざ指先等でディスクＤを挿脱自在位置から係止位置まで移動しなくても、第二分割ケース３を第一分割ケース２に合掌させるだけで、ディスクＤを自動的に係止位置に移動させることができ、ディスクを収納室内でガタツキのないように保持した状態で収納することができる。
【００２４】
更に、第２実施形態の構成において、請求項４に記載の本発明によれば、第二分割ケース３のヒンジ部４の近傍に姿勢駆動手段３０が設けられており、ディスクＤを係止位置に保持せしめた状態で、第二分割ケース３を回動することにより収納室５を開くと、該姿勢駆動手段３０が基端側２ａ、３ａからディスク周縁に接し、ディスクＤを挿脱自在位置まで自動的に移動する。従って、第二分割ケース３を開くと、ディスクＤが係止爪２９の係止を解かれた挿脱自在位置に移動されているので、ユーザはディスクＤを保持手段１０から直ちに取り上げることができる。
【発明を実施するための最良の形態】
【００２５】
以下図面に基づいて本発明の好ましい実施形態を詳述する。
【００２６】
（第１実施形態）
図１ないし図４は、本発明の第１実施形態を示している。図示の実施形態において、ディスク収納ケースを構成するケース本体１は、レンタルショップにおいて、録音済のＣＤや録画済のＤＶＤ等のディスクＤを収納する貸出用ケースを構成しているが、本発明は、必ずしもこのような貸出用ケースに限定されるものではない。
【００２７】
ケース本体１は、基端側２ａ、３ａを相互に連結されたヒンジ部４を介して開閉自在とされ自由端側２ｂ、３ｂを接離自在として合掌される第一分割ケース２と第二分割ケース３によりディスクＤの収納室５を形成している。図例の場合、ケース本体１は、レンタルのための貸出用ケースを構成しており、分割ケース２、３を開放不能に施錠する施錠手段６、７、８と、分割ケース２、３を閉止した状態で開放不能となるように施錠手段６、７、８を施錠する鍵手段９とを組み合わせることにより使用され、図示省略しているが、鍵手段９による施錠を解錠するための解錠装置が提供される。尚、このような施錠手段、鍵手段、解錠手段は、本発明の直接の目的ではないので、詳細な説明を省略する。
【００２８】
ケース本体１の収納室５には、前記基端側２ａ、３ａと前記自由端側２ｂ、３ｂの間でディスクＤをディスク面に沿って遊動自在となるように保持する保持手段１０が設けられており、該保持手段１０は、前記自由端側２ｂ、３ｂから前記基端側２ａ、３ａに向けてディスクＤの周部を挿脱自在に挿入保持する保持プレート１１により構成されている。そして、第一分割ケース２には、収納室５を縁取るように形成された同心円弧状の円弧状リブその他のリブから成る台座１２が設けられており、保持プレート１１を該台座１２に載置可能となるように構成している。
【００２９】
保持プレート１１は、可撓性を有する硬質の合成樹脂板から成るコア板の表裏表面に、合成樹脂繊維の薄い不織布から成る保護シートを重ね合わせ、コア板と保護シートをサンドイッチ状に溶着することにより、尾端側に位置する基板部１１ａと、先端側に位置する延長部１１ｂを構成しており、基板部１１ａは、少なくとも上面に合成樹脂フィルム又はシートから成るカバーフィルム１３を重ね合わせることにより、基板部１１ａとカバーフィルム１３の間に袋部１４を形成している。袋部１４は、カバーフィルム１３を基板部１１ａに溶着した円弧状の溶着線により保持プレート１１の尾端側に底部を形成し、保持プレート１１の先端側に向けて開口する開口部１４ａを形成している。
【００３０】
保持プレート１１の延長部１１ｂは、袋部１４にディスクＤを挿入したとき、該ディスクＤの中心孔Ｃと連通する中央切欠部１５を形成すると共に、該中央切欠部１５を前記自由端側に向けて開口１６せしめることにより、一対のフォーク部１７、１７を形成している。
【００３１】
このように構成された保持プレート１１は、尾端部により受部１８を構成すると共に、尾端縁に近傍して挿着孔１９、１９を受部１８に開設している。
【００３２】
第二分割ケース３のヒンジ部４から連設された後壁３ｃには、左右一対の突出手段２０、２０が突設されている。該突出手段２０は、図２に示すように、後壁３ｃから突出するアームから成る押上手段２０ａと、該押上手段２０ａの先端部において屈曲するフック部２０ｂを構成している。
【００３３】
保持プレート１１に開設した挿着孔１９、１９と、第二分割ケース３に設けた突出手段２０、２０は、図２に示すように、挿着孔２９に突出手段２０を挿脱自在に挿着することにより、保持プレート２２を第二分割ケース３に着脱自在に取付ける着脱係止手段を構成すると共に、リフト機構２１を構成する。
【００３４】
保持プレート１１を第二分割ケース３に取付けた状態で、ディスクＤは、自由端側２ｂ、３ｂから基端側２ａ、３ａに向けて、ディスク周部を袋部１４に挿脱自在に挿入保持せしめることができる。ユーザがディスクＤを指先で摘持する場合、人指し指を中心孔Ｃに掛け、親指をディスクＤの周縁に掛けるのが一般的であるが、ディスクＤを袋部１４に挿脱せしめるとき、中心孔Ｃに掛けた人指し指は、開口１６と中心切欠部１５の間で自由に移動することができる。この際、フォーク部１７の表面を滑りながら袋部１４に対して挿脱せしめられるディスクＤは、表面に設けられた薄い不織布から成る保護シートに沿って摺擦されるので、ディスクＤの表面を傷つけられることはない。
【００３５】
前述のリフト機構２１について説明すると、図２（Ｂ）に示すように、第二分割ケース３を第一分割ケース２に対して合掌せしめることにより収納室５を閉じた状態で、ディスクＤを保持した保持プレート１１は、収納室５に定置される。即ち、保持プレート１１は、収納室５に設けられた台座１２の上に載置され安定する。そこで、図２（Ａ）に示すように、ヒンジ部４を支点として第二分割ケース３を角度θ１まで回動することにより収納室５を開くと、保持プレート１１は、突出手段２０のフック部２０ｂに同行するように牽引されながら、先端部を第一分割ケース２の上方に向けて角度θ２まで持ち上げられる。この際、第二分割ケースの回動角度θ１と、保持プレート１１の回動角度θ２は、θ２＜θ１とされる。図示実施形態の場合、所定の厚みを有する受部１８の挿着孔１９にフック部２０ｂが嵌合状態で挿入され、該受部１８の下面に押上手段２０ａが係合しており、これにより、第二分割ケース３を角度θ１のように回動すると、受部１８と、該受部１８を押し上げる押上手段２０ａ及びフック部２０ｂにより、保持プレート１１を角度θ２のように持ち上げ回動するリフト機構２１が構成されている。
【００３６】
従って、図２（Ａ）に示すように、第二分割ケース３を開放したとき、保持プレート１１が上向き姿勢で保持され、下側では第一分割２から十分に離間し、上側では第二分割ケース３から十分に離間しているので、ユーザは、保持プレート１１の袋部１４に対して、ディスクＤを容易に挿入し又は容易に取出すことができる。
【００３７】
ところで、第二分割ケース３を開放し、上向き姿勢とされた保持プレート１１の袋部１４にディスクＤの周部を挿入した状態で、第二分割ケース３を閉じる際に、図２（Ａ）に示すように、ディスクＤが袋部１４の所定位置まで挿入されず、自由端側２ｂ、３ｂに向けてディスク周部が図示Ｌで示すように偏位せしめられている場合がある。従って、このようにディスクＤが偏位したまま第二分割ケース３を閉じると、ディスクＤが収納室５の内部で所定位置に定置されず、ディスクＤの表面が収納室５の内部の突起物（図示せず）に接してしまうという問題や、袋部１４に完全に挿入保持されていないので、収納室５の内部で自由に動きガタツキを生じる問題や、更には、合掌される第一分割ケース２と第二分割ケース３の対向する突起物（図示せず）等にディスク周部が挟まれ破損するという問題がある。
【００３８】
そこで、このようにディスクＤが保持手段１０に対して所定位置よりも自由端側２ｂ、３ｂに偏位せしめられた状態で、第一分割ケース２と第二分割ケース３を合掌したとき、該自由端側のディスク周縁に接することによりディスクＤを基端側２ａ、３ａに向けて案内移動する姿勢制御手段２２が設けられている。
【００３９】
姿勢制御手段２２は、自由端側２ｂ、３ｂに位置して第一分割ケース２と第二分割ケース３の対向部にそれぞれ設けられた第一姿勢制御手段２３と第二姿勢制御手段２４とから構成されている。図１及び図３に示すように、第一姿勢制御手段２３は、第一分割ケース２の平板壁２ｄから突出し所定間隔をあけて列設された下側リブ２３ａ〜２３ｄにより形成され、第二姿勢制御手段２４は、第二分割ケース３の平板壁３ｄから突出し所定間隔をあけて列設された上側リブ２４ａ〜２４ｃにより形成され、第一分割ケース２と第二分割ケース３を合掌したとき、一方のリブ２３ａ〜２３ｄの隣り合うリブ間に他方のリブ２４ａ〜２４ｃが噛合状に挿入されるように構成されている。
【００４０】
第一姿勢制御手段２３を構成する下側リブ２３ａ〜２３ｄと、第二姿勢制御手段２４を構成する上側リブ２４ａ〜２４ｃは、第一分割ケース２と第二分割ケース３を合掌することにより収納室５を閉じた状態で、自由端側２ｂ、３ｂから基端側２ａ、３ａに向けてそれぞれのリブの高さが次第に低くなるようなテーパ状ガイド縁を形成している。即ち、図３（Ｂ）（Ｃ）に示すように、下側リブ２３ａ〜２３ｄは、テーパ状ガイド縁２５ａ〜２５ｄを形成し、上側リブ２４ａ〜２４ｃは、テーパ状ガイド縁２６ａ〜２６ｃを形成している。
【００４１】
図３（Ａ）に示すように、収納室５に対して所定の収納位置にあるディスクＤの周縁をＤ１で示し、自由端側２ｂ、３ｂに向けて偏位した位置にあるディスクＤの周縁をＤ２で示すと、第一分割ケース２と第二分割ケース３を合掌することにより収納室５を閉じた状態で、図３（Ｂ）（Ｃ）に示すように、ディスク周縁Ｄ２の下縁が下側リブ２３ａ〜２３ｄのテーパ状ガイド縁２５ａ〜２５ｄの全てに接し、ディスク周縁Ｄ２の上縁が上側リブ２４ａ〜２４ｃのテーパ状ガイド縁２６ａ〜２６ｃの全てに接するように、それぞれのテーパ角度が設定されている。
【００４２】
そして、第一姿勢制御手段２３を構成する下側リブ２３ａ〜２３ｄと、第二姿勢制御手段２４を構成する上側リブ２４ａ〜２４ｃは、図３（Ａ）に示すように、所定の収納位置のディスク周縁Ｄ１まで延長されている。
【００４３】
姿勢制御手段２２の作用を図４に示している。ディスクＤが自由端側２ｂ、３ｂに向けて偏位せしめられている場合、図４（Ａ）に示すように、第一分割ケース２と第二分割ケース３を合掌する直前状態において、ディスクＤの周縁は、第一姿勢制御手段２３の上に位置している。そこで、図４（Ｂ）に示すように、第一分割ケース２を第二分割ケース３に合掌するように近づけると、第二姿勢制御手段２４が第一姿勢制御手段２３に噛合を開始し、ディスクＤの周縁を下側リブ２３ａ〜２３ｄと上側リブ２４ａ〜２４ｃのテーパ状ガイド縁２５ａ〜２５ｄ、２６ａ〜２６ｃにより挟みながら、ディスクＤを基端側に向けて矢印Ｆで示すように案内移動する。図４（Ｃ）に示すように、第一分割ケース２を第二分割ケース３に合掌し収納室５を閉じると、矢印Ｆのように基端側に案内移動されたディスクＤは、所定の収納位置まで移動された状態で収納室５に収納される。即ち、この第１実施形態の場合、ディスクＤは保持手段１０の袋部１４に対して完全挿入位置まで移動され、該保持手段１０を介して収納室５の内部における所定位置で保持される。
【００４４】
（第２実施形態）
図５及び図６は、本発明の第２実施形態を示している。図示の実施形態において、ディスク収納ケースを構成するケース本体１は、ＣＤやＤＶＤ等のディスクＤを収納する施錠手段を有しないディスク収納ケースを示しているが、施錠手段を設けても良い。
【００４５】
ケース本体１は、基端側２ａ、３ａを相互に連結されたヒンジ部４を介して開閉自在とされ自由端側２ｂ、３ｂを接離自在として合掌される第一分割ケース２と第二分割ケース３によりディスクＤの収納室５を形成しており、第一分割ケース２には、収納室５を縁取るように形成された同心円弧状の円弧状リブその他のリブから成る台座１２が設けられており、ディスクＤを該台座１２に載置可能となるように構成している。
【００４６】
保持手段１０は、収納室５の内部でディスクＤの下面を支持するように第一分割ケース２に設けられた支持座２７と、該支持座２７よりも上方に突出することによりディスクＤの中心孔Ｃに遊挿される突部２８と、該突部２８から自由端側２ｂ、３ｂに向けて張り出す係止爪２９を備えている。従って、この第２実施形態によれば、保持手段１０は、図６（Ｂ）に示すように、前記係止爪２９を含む突部２８をディスクＤの中心孔Ｃに遊挿しディスクＤを前記支持座２７に支持せしめることができる（このディスク位置を挿脱自在位置という）。従って、ディスクＤの中心孔Ｃを保持手段１０に挿脱せしめる際に、中心孔Ｃの内周縁に外力を作用させることはない。そして、この挿入自在位置から、図６（Ａ）に示すように、ディスクＤを基端側２ａ、３ａに向けて移動すれば、前記係止爪２９が中心孔Ｃの周縁の上部に係止することにより、ディスクＤを抜止状態に保持する（このディスク位置を係止位置という）。従って、このような抜止保持状態を得る際にも、中心孔Ｃの内周縁に外力を作用させることはないように構成されている。
【００４７】
そこで、ディスクＤは、図６（Ａ）に示す係止位置において収納室５に収納保持された所定位置とするものであるから、図６（Ｂ）に示す挿入自在位置においては、保持手段１０に対して所定位置よりも自由端側２ｂ、３ｂに偏位せしめられた状態とされ、この状態第一分割ケース２と第二分割ケース３を合掌したとき、該自由端側のディスク周縁に接することによりディスクＤを基端側２ａ、３ａに向けて前記係止位置まで案内移動する姿勢制御手段２２が設けられている。姿勢制御手段２２は、自由端側２ｂ、３ｂに位置して第一分割ケース２と第二分割ケース３の対向部にそれぞれ設けられた第一姿勢制御手段２３と第二姿勢制御手段２４とから構成されており、詳細な図示は省略しているが、図１ないし図４に示した第１実施形態の場合と同様に、第一姿勢制御手段２３を所定間隔をあけて列設された下側リブ２３ａ〜２３ｄにより構成し、第二姿勢制御手段２４を所定間隔をあけて列設された上側リブ２４ａ〜２４ｃにより構成し、第一分割ケース２と第二分割ケース３を合掌したとき、一方のリブ２３ａ〜２３ｄの隣り合うリブ間に他方のリブ２４ａ〜２４ｃが噛合状に挿入されるように構成しており、自由端側２ｂ、３ｂから基端側２ａ、３ａに向けてそれぞれのリブの高さが次第に低くなるようなテーパ状ガイド縁を形成している。従って、姿勢制御手段２２の構成及び作用は、図２ないし図４の記載と、これに関して上述した説明の記載を援用する。
【００４８】
ところで、第二分割ケース３のヒンジ部４に連設された後壁３ｃの内側には、ディスクＤを係止位置に保持せしめた状態で、ヒンジ部４を支点として第二分割ケース３を回動することにより収納室５を開いたとき、基端側２ａ、３ａからディスク周縁に接してディスクＤを前記挿脱自在位置まで移動せしめる姿勢駆動手段３０が設けられている。
【００４９】
図６に示すように、ディスクＤを支持座２７に支持した状態で、ディスクＤの下面と第一分割ケース２の平板壁２ｄとの間に空間Ｓが形成されるので、前記姿勢駆動手段３０は、第二分割ケース３の後壁３ｃから該空間Ｓに向けて延びるアーム３０ａを構成し、該アーム３０ａの先端縁にディスク周縁に臨む駆動カム面３０ｂを形成している。
【００５０】
そこで、図６（Ａ）に示すように第一分割ケース２と第二分割ケース３を合掌することにより収納室５を閉じ、ディスクＤを係止位置に係止保持せしめた状態から、図６（Ｂ）に示すように第一分割ケース２を開くと、駆動カム面３０ｂをディスクＤの基端側の周縁に接しながらアーム３０ａが回動することにより、ディスクＤを矢印Ｒで示すように自由端側に向けて移動し、挿脱自在位置まで移動せしめる。従って、ユーザは、第二分割ケース３を開くだけで、ディスクＤを係止位置から挿脱自在位置まで自動的に移動させることができるので、その状態でディスクＤを保持手段１０から持ち上げるだけで収納室５の外部に取出すことができる。
【００５１】
ディスクＤをケース本体１に収納するに際しては、第二分割ケース３を開いた状態で、ディスクＤの中心孔Ｃに係止爪２９を含む突部２８を挿入させ支持壁２７に載置することにより挿脱自在位置に定置し（この状態でディスクＤの自由端側の周縁が第一姿勢制御手段２３の上に臨んでいる）、この状態から第二分割ケース３を閉じると、上述のように姿勢制御手段２２によりディスクＤが基端側に向けて案内移動され、係止位置まで自動的に移動せしめられ、保持手段１０により所定位置で保持される。
【図面の簡単な説明】
【００５２】
【図１】本発明の第１実施形態を分解状態で示す斜視図である。
【図２】第１実施形態の断面図を示しており、（Ａ）はケース本体を閉じる前の状態を示す断面図、（Ｂ）はケース本体を閉じた状態を示す断面図である。
【図３】本発明における姿勢制御手段の実施形態の詳細を示しており、（Ａ）は第一姿勢制御手段と第二姿勢制御手段を噛合せしめた状態を示す横断面図、（Ｂ）は第一姿勢制御手段を示す側面図、（Ｃ）は第二姿勢制御手段を示す側面図である。
【図４】姿勢制御手段の作用を示しており、（Ａ）は姿勢制御手段が作用する前の状態を示す断面図、（Ｂ）は作用中の状態を示す断面図、（Ｃ）は作用が終了した状態を示す断面図である。
【図５】本発明の第２実施形態を分解状態で示す斜視図である。
【図６】姿勢駆動手段の実施形態を示しており、（Ａ）は姿勢駆動手段が作用する前の状態を示す断面図、（Ｂ）は作用中の状態を示す断面図である。
【符号の説明】
【００５３】
１    ケース本体
２    第一分割ケース
３    第二分割ケース
２ａ、３ａ  基端側
２ｂ、３ｂ  自由端側
４    ヒンジ部
５    収納室
１０    保持手段
１１    保持プレート
１２    台座
１４    袋部
２０    突出手段
２１    リフト機構
２２    姿勢制御手段
２３    第一姿勢制御手段
２４    第二姿勢制御手段
２３ａ〜２３ｄ  下側リブ
２４ａ〜２４ｃ  上側リブ
２５ａ〜２５ｄ  テーパ状ガイド縁
２６ａ〜２６ｃ  テーパ状ガイド縁
２７    支持座
２８    突部
２９    係止爪
３０    姿勢駆動手段
３０ｂ  駆動カム面
Ｄ      ディスク
Ｃ      中心孔
【図１】
2006290429.tif 000003
【図２】
2006290429.tif 000004
【図３】
2006290429.tif 000005
【図４】
2006290429.tif 000006
【図５】
2006290429.tif 000007
【図６】
2006290429.tif 000008